(57)【要約】【課題】調理中の油煙や油脂の飛び散りを確実に低減できる加熱調理器を提供する。【解決手段】被調理物３を載せる焼き網６と、焼き網６を載せる受皿７と、焼き網６および前記受皿７と共に被調理物３を収納する調理室２と、受皿７と連結され調理室２の前面開口部２ａを覆う扉８と、空気を加熱する加熱手段１０を有する加熱室９と、加熱室９と調理室２を連通する吹き出し孔１４及び吸い込み孔１５と、調理室２内の空気を吸い込み孔１５から加熱室９内に吸引し、吹き出し孔１４から調理室２内に噴出して調理室２内の空気を循環させる送風手段１１とを備え、扉８に、水容器１７と水容器１７内の水を前記受皿７に供給する水供給手段１８を設けたもので、受皿７が水により冷却されるので、調理中に被調理物３から油脂が受皿７に滴下しても、内部を汚したり被調理物３の調理性能を低下させる油煙の発生や、油脂の飛び散りを確実に防止できる。【選択図】図１
2006258336.tif 000002
【特許請求の範囲】
【請求項１】
被調理物を載せる焼き網と、前記焼き網を載せる受皿と、前記焼き網および前記受皿と共に前記被調理物を収納する調理室と、前記受皿と連結され前記調理室の前面開口部を覆う扉と、空気を加熱する加熱手段を有する加熱室と、前記加熱室と前記調理室を連通する吹き出し孔及び吸い込み孔と、前記調理室内の空気を前記吸い込み孔から前記加熱室内に吸引し、前記吹き出し孔から前記調理室内に噴出して前記調理室内の空気を循環させる送風手段とを備え、前記扉に、水容器と、前記水容器内の水を前記受皿に供給する水供給手段を設けた加熱調理器。
【請求項２】
水供給手段に、扉の閉動作に連動して動作する開閉手段を設けた請求項１に記載の加熱調理器。
【請求項３】
受皿又は受皿内の水の温度を検知する温度検知手段を設け、水供給手段に、前記温度検知手段が所定の温度を検知した時に動作する開閉手段を設けた請求項１に記載の加熱調理器。
【請求項４】
水供給手段に、所定の温度で動作する開閉手段を設けた請求項１に記載の加熱調理器。
【請求項５】
受皿内の水量を検知する水量検知手段を設け、水供給手段に、前記水量検知手段が所定の水量を検知したときに動作する開閉手段を設けた請求項１に記載の加熱調理器。
【発明の詳細な説明】
【技術分野】
【０００１】
本発明は、一般家庭で魚、肉等の被調理物を加熱調理する加熱調理器に関するものである。
【背景技術】
【０００２】
従来の、この種の加熱調理器について、図８を用いて説明する。
【０００３】
図８において、従来の加熱調理器１の調理室２は、被調理物３を載せる焼き網６と、焼き網６を載せる受皿７を収納し、主に輻射熱により被調理物３を上方から加熱調理する第一の加熱手段４と、主に輻射熱により被調理物３を下方から加熱調理する第二の加熱手段５とを有している。また、扉８は、調理室２の前面開口部を覆うもので、受皿７と連結されている場合が多い。
【０００４】
次に、上記構成による加熱調理器１で被調理物３を加熱調理する方法について説明する。
【０００５】
まず、使用者は、焼き網６に被調理物３を載せて焼き網６を受皿７に収納し、扉８と共に受皿７を調理室２内に収納する。その後、調理開始ボタン（図示せず）を押すと、被調理物３を加熱する調理工程が開始する。
【０００６】
調理工程が開始すると、調理室２内にある第一の加熱手段４又は第二の加熱手段５が通電される。被調理物３が調理室２内の所定の位置に置かれると、第一の加熱手段４は、被調理物３の上方に、また第二の加熱手段５は、被調理物３の下方に配置されるので、被調理物３は、主に第一の加熱手段４または第二の加熱手段５の輻射熱により加熱されることになる。
【０００７】
そうして、第一の加熱手段４または第二の加熱手段５が被調理物３を所定時間加熱することにより、被調理物３は、加熱調理される（例えば、特許文献１参照）。
【０００８】
ところで、図８に示す加熱調理器１は、第一の加熱手段４または第二の加熱手段５の輻射熱を利用して被調理物３を加熱調理する構成であるが、輻射熱は被調理物３と第一の加熱手段４または第二の加熱手段５との距離の４乗に反比例して熱が被調理物３に届きにくくなるため、被調理物３の、第一の加熱手段４または第二の加熱手段５の近傍にある部分と、少し離れたところにある部分とでは被調理物３の焼け方が違ってくる。すなわち焼きムラが生じるという問題がある（例えば、被調理物３の第一の加熱手段４の垂直下方にある部分はよく焼けるが、斜め下方にある部分は焼けにくくなる等）。
【０００９】
また、第一の加熱手段４および第二の加熱手段５は、調理室２内で剥き出しているため、魚や肉等、加熱すると油脂等が出てくる被調理物３を調理した場合、被調理物３から油脂が流れ落ちて第二の加熱手段５に付着したり、油脂が被調理物３からはじけ飛んで第一の加熱手段４に付着したりする。このとき、第一の加熱手段４および第二の加熱手段５は例えば４００℃以上の高温状態であるため、第一の加熱手段４または第二の加熱手段５に付着した油脂は燃えてしまう、すなわち、発火現象が起きてしまう。そして、発火により被調理物３の一部または全部が燃えてしまって被調理物３の調理性能が著しく低下してしまうという問題もある（油脂は約３５０℃以上で発火するため）。
【００１０】
これらの問題を解決するために、図９に示されるような加熱調理器がある（例えば、特許文献２参照）。
【００１１】
図９において、加熱調理器１には、調理室２とは別に、加熱手段１０および送風手段１１を有した加熱室９が設けられており、通風孔１２を介して調理室２と加熱室９とが連通接続されている。そして、調理工程では、加熱手段１０および送風手段１１を動作させることにより、加熱手段１０により加熱された加熱室９内の高温の空気が通風孔１２を介して調理室２内へ送り込まれ、被調理物３を加熱するものである。すなわち、加熱室９内で高温に加熱された空気を調理室２内へ送り込んで被調理物３を加熱調理するものである。
【００１２】
以上のように、加熱手段１０を加熱室９内に配置し、調理室２内には加熱手段１０を設けない構成とすることにより、魚や肉等のような加熱すると油脂等が出てくる被調理物３を加熱調理しても、油脂等は加熱手段１０に接触しないことになる。それゆえ、調理室２内で発火が生じるのを防止することができ、発火により被調理物３の調理性能が低下するという問題も解決することができる。
【特許文献１】特許第２７９５９７４号公報
【特許文献２】特開２０００−３２９３５１号公報
【発明の開示】
【発明が解決しようとする課題】
【００１３】
しかしながら、図９に示される加熱調理器１の構成では、魚や肉等の被調理物３を調理するために、加熱手段１０により約３００℃に加熱された空気が加熱室９から調理室２内に供給されるが、調理室２内に送り込まれた空気は、被調理物３を加熱するだけでなく、焼き網６や受皿７等も加熱することになる。
【００１４】
そのため、受皿７は、約１８０℃以上の高温になってしまい、調理工程中に魚や肉等の被調理物３から出てきた油脂が受皿７に滴下すると、油脂が気化して油煙が発生していたり（油脂は、約１８０℃以上になると気化するため）、油脂が受皿７で飛びはねて調理室２の内壁２ｂや扉８の内壁８ａに付着してしまったりする（油脂は、受皿７の温度が約２５０℃以上になると飛びはねる）。
【００１５】
油煙が発生すると、調理室２および加熱室９内に油煙が充満し、被調理物３や、調理室２の内壁２ｂ、加熱室９の内壁９ａおよび扉８の内壁８ａに付着し、被調理物３の味が油臭い味になってしまって被調理物３の調理性能が大幅に低下してしまうという課題があった。また、調理室２の内壁２ｂ、加熱室９の内壁９ａおよび扉８の内壁８ａが油で汚れて調理室２や加熱室９や扉８が不衛生になってしまうという課題もあった。また、油脂が受皿７から飛びはねると、油煙同様、調理室２の内壁２ｂや扉８の内壁８ａに付着し不衛生になってしまう。
【００１６】
さらに、調理室２の内壁２ｂ、加熱室９の内壁９ａおよび扉８の内壁８ａが油で汚れると加熱調理器１内が油臭くなり、使用者に不快感を与えたり、また、菌やゴキブリ等の虫等が繁殖したりする原因となるものである。
【００１７】
本発明は、前記従来の課題を解決するもので、油煙が発生して被調理物の調理性能が低下したり、加熱調理器の内壁が汚れて不衛生になったりするのを低減した加熱調理器を提供することを目的とする。
【課題を解決するための手段】
【００１８】
前記従来の課題を解決するために、本発明の加熱調理器は、被調理物を載せる焼き網と、前記焼き網を載せる受皿と、前記焼き網および前記受皿と共に前記被調理物を収納する調理室と、前記受皿と連結され前記調理室の前面開口部を覆う扉と、空気を加熱する加熱手段を有する加熱室と、前記加熱室と前記調理室を連通する吹き出し孔及び吸い込み孔と、前記調理室内の空気を前記吸い込み孔から前記加熱室内に吸引し、前記吹き出し孔から前記調理室内に噴出して前記調理室内の空気を循環させる送風手段とを備え、前記扉に、水容器と、前記水容器内の水を前記受皿に供給する水供給手段を設けたもので、受皿が水により冷却され、油脂が気化したり、油脂が飛び跳ねたりする温度まで加熱されるのを防止できるので、調理工程中の高温の空気により加熱された被調理物から油脂が出てきて受皿に滴下しても、油煙が生じ、それが調理室や加熱室内に充満して被調理物に付着し、被調理物の調理性能が低下するのを低減し、また油煙や、受け皿で飛び跳ねた油脂が調理室や扉の内壁に付着して不衛生になることを低減することができる。また、受皿に滴下した油脂は、受皿内で水と混合されるので、調理工程終了後に、水と共に捨てることができるので、油脂が受皿に付着するのを低減することができ、受皿の洗浄をより簡易にすることができる。すなわち、加熱調理器のお手入れ性を向上させることができる。
【発明の効果】
【００１９】
本発明の加熱調理器は、受皿が、水容器から水供給手段により供給された水により冷却され、高温の空気により受皿が油脂が蒸発する温度以上まで加熱されるのを防止することができる。
【００２０】
それゆえ、調理工程中の高温の空気により加熱された被調理物から油脂が出てきて受皿に滴下しても、油煙が発生したり、油脂が受皿から飛びはねて調理室の内壁や扉の内壁に付着して不衛生になるのを低減することができる。又、調理室や加熱室内に油煙が充満して被調理物に付着し、被調理物の調理性能が低下するのを低減することができる。
【発明を実施するための最良の形態】
【００２１】
第１の発明は、被調理物を載せる焼き網と、前記焼き網を載せる受皿と、前記焼き網および前記受皿と共に前記被調理物を収納する調理室と、前記受皿と連結され前記調理室の前面開口部を覆う扉と、空気を加熱する加熱手段を有する加熱室と、前記加熱室と前記調理室を連通する吹き出し孔及び吸い込み孔と、前記調理室内の空気を前記吸い込み孔から前記加熱室内に吸引し、前記吹き出し孔から前記調理室内に噴出して前記調理室内の空気を循環させる送風手段とを備え、前記扉に、水容器と、前記水容器内の水を前記受皿に供給する水供給手段を設けたもので、受皿が水により冷却され、油脂が気化したり、油脂が飛び跳ねたりする温度まで加熱されるのを防止できるので、調理工程中の高温の空気により加熱された被調理物から油脂が出てきて受皿に滴下しても、油煙が生じ、それが調理室や加熱室内に充満して被調理物に付着し、被調理物の調理性能が低下するのを低減し、また油煙や、受け皿で飛び跳ねた油脂が調理室や扉の内壁に付着して不衛生になることを低減することができる。また、受皿に滴下した油脂は、受皿内で水と混合されるので、調理工程終了後に、水と共に捨てることができるので、油脂が受皿に付着するのを低減することができ、受皿の洗浄をより簡易にすることができる。すなわち、加熱調理器のお手入れ性を向上させることができる。
【００２２】
第２の発明は、特に、第１の発明の水供給手段に、扉の閉動作に連動して動作する開閉手段を設けたもので、調理の開始時に扉を閉めると、受皿に冷却用の水が自動的に供給されるので、水を水容器から受皿に供給し忘れるということがなくなり、加熱室から送風される高温の空気により受皿が加熱されて、油脂が気化する温度まで上昇するのを確実に、しかも簡単に防ぐことができる。また、調理開始後に水容器をセットしてもスムーズに水を自動的に受皿に供給することができる。
【００２３】
第３の発明は、特に、第１の発明の受皿又は受皿内の水の温度を検知する温度検知手段を設け、水供給手段に、前記温度検知手段が所定の温度を検知した時に動作する開閉手段を設けたもので、例えば、温度検知手段が動作する温度を油煙が発生する温度に設定すれば、受皿に水を供給する最適なタイミングで受皿に水を供給することができ、より正確に受皿を油脂が気化する温度以下に冷却することができる。すなわち、調理の前半は調理室も温度が低く、被調理物もそれほど加熱されていないため油脂は落ちにくいし、気化する温度には至っていない。それゆえ、受皿の温度が、油煙が発生する温度帯に近づいた時を検知して水を受皿に供給してやればよく、受皿の温度を無駄に低下させることがなく、その結果、高温の空気の温度にも影響することが少なくなり、調理性能の向上につながり、又油脂が滴下して油煙が生じ調理性能を低下させたり、油脂が飛びはねて調理室の内壁に付着したりすることを防ぐ効果は第１の発明と何ら変らないものである。
【００２４】
また、受皿の温度を検知しながら最適量の水を供給できることが可能であり、調理工程終了後に受皿に残る油脂の混合した水の量を最低限に抑えることができ、被調理物を調理室内から取り出す時に、受皿からこぼれる心配が少なくなる。つまり、効果を維持しながら、より使い勝手のよい加熱調理器を提供することができる。
【００２５】
第４の発明は、特に、特に、第１の発明の水供給手段に、所定の温度で動作する開閉手段を設けたもので、受皿に水をより効率的に安定した量で供給することができる。又、第３の発明と同様に、加熱室から供給される高温の空気への影響が少なくでき、受皿の冷却も必要量の水供給で、油脂が油煙になったり、飛び散ったりするのを確実に低減することができる。また、開閉手段として形状記憶合金を用いるようにすれば、開閉手段を簡単な構造でしかも安価に形成することができる。
【００２６】
第５の発明は、特に、第１の発明の受皿内の水量を検知する水量検知手段を設け、水供給手段に、前記水量検知手段が所定の水量を検知したときに動作する開閉手段を設けたもので、より効率的に確実に油脂が油煙になることを低減できるものである。受皿に水があることで油脂が油煙になる温度になることを防止する構成であるが故に、受皿の水を管理することは一番精度の高い手段である。それゆえ、必ず受皿全体の温度を、油脂が気化する温度よりも確実に低温度にすることができ、被調理物から受皿に油脂が滴下しても、油煙が発生したり油脂が飛びはねたりするのを確実に防止することができる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における加熱調理器の縦断面図、図２は、同加熱調理器の扉の斜視図である。なお、従来例と同一部分については、同一符号を付してその説明を省略する。
【００２９】
図１において、加熱調理器１は、所定の位置に収納された被調理物３を加熱して調理する調理室２を備えている。被調理物３は、被調理物３を載せる焼き網６と、焼き網６を載せる受皿７とともに、調理室２内に収納される。また、受皿７は、水容器１７と、水容器１７内の水を受皿７へ供給する水供給手段１８を有する扉８と連結され、受皿７が、調理室２内に収納されると、扉８が調理室２の前面開口部２ａを覆うように構成されている。
【００３０】
９は、調理室２とは別に設けられた加熱室で、加熱室９内の空気を加熱する加熱手段１０（本実施の形態では、空気を高温に加熱するのに効率が高い放熱フィンを備えたヒータで構成されているが、加熱手段１０は、加熱室９内の空気を所定温度（例えば約３００℃以上）に加熱できるものであればよい）と、加熱手段１０で加熱された空気を調理室２内へ送り込む送風手段１１を有しており、調理室２と加熱室９は吹き出し孔１４と吸い込み孔１５により連通されている。
【００３１】
送風手段１１を動作させると、調理室２内の空気が、吸い込み孔１５から加熱室９内に吸い込まれ、加熱手段１０で加熱された後、吹き出し孔１４から調理室２内へ送り込まれる。また、吸い込み孔１５と送風手段１１との間の加熱室９には、加熱室９と加熱調理器１の外部とを連通する排気経路１６の一端が接続されている。
【００３２】
扉８の上部には、図１に示すように、水容器１７が、その下方に水供給手段１８がそれぞれ配置されている。使用者は、この水容器１７を扉８にセットし、被調理物３および受皿７を調理室２に収納するため扉８を閉じた後、または調理開始前に、水供給手段１８を動作させ開閉手段１９により受皿７に水を供給する。これにより、受皿７に、図１の矢印で示されるように水が水供給手段１８より流れ落ち、水が溜まることになる。
【００３３】
本実施の形態では、開閉手段１９は、開閉手段１９の所に示した矢印の方向に押すことで弁２０を開成させて水の通る通路を確保するプッシュ式のボタンを使用している。この開閉手段１９は電磁式の弁２０でも、コック式の弁２０でも開閉できる構成であれば差し支えはなく特に限定するものではない。
【００３４】
次に、上記構成における加熱調理器での、一連の調理ができるまでの動作を説明する。
【００３５】
図２は、扉８の斜め正面から一部透視して見たもので、水容器１７と水供給手段１８の位置関係を示したものである。水容器１７は扉８に着脱自在で、扉８にセットすると水供給手段１８と接続される。この時点では、開閉手段１９の弁２０が閉まっているので、水は受皿７には供給されない。使用者がまず焼き網６に被調理物３を載せて、焼き網６を受皿７に載せ、水容器１７と水供給手段１８を設けた扉８と共に受皿７を調理室２内に収納する。そして開閉手段１９であるプッシュ式のボタンを押して弁２０を動作させ、水を受皿７に流し込む。その後、調理開始ボタン（図示せず）を押すと、被調理物３を加熱する調理工程が開始する。
【００３６】
調理工程が開始すると、加熱室９内にある加熱手段１０に通電され、加熱室９内にある空気が加熱される。加熱室９内の空気が所定温度（例えば約３００℃以上）になると、送風手段１１が通電され、送風手段１１は、調理室２内の空気を吸い込み孔１５から吸い込み、加熱室９内の加熱手段１０へ送風し、加熱手段１０により加熱された空気を吹き出し孔１４から調理室２へ送り込む。このようにして、調理工程において、加熱調理器１内の空気は、調理室２、吸い込み孔１５、加熱室９、吹き出し孔１４、そして再び調理室２へと移動して、循環を繰り返すものである。
【００３７】
以上のように、加熱手段１０により所定温度に加熱された空気を調理室２内へ繰り返し供給することにより、調理室２内に収納された被調理物３が加熱されることになる。この調理工程において、加熱手段１０が加熱室９内の空気を加熱し、加熱された空気を送風手段１１が調理室２内へ送り込むことにより、加熱室９および調理室２内の空気は加熱されて体積膨張していくことになるが、排気経路１６の一端が送風手段１１と吸い込み孔１５との間の加熱室９に接続されているので、体積膨張した空気は、図１の矢印に示すように、排気経路１６を介して加熱調理器１外へ排出されることになる。
【００３８】
また、加熱室９から調理室２内へ送り込まれる高温の空気は、被調理物３を加熱するとともに、受皿７等にも送り込まれるが、そのため、従来は、受皿７は調理工程中に高温になり、被調理物３が油脂等を多く含む魚や肉等の場合、調理工程中の高温の空気により加熱された被調理物３から油脂が出てきて受皿７に滴下すると、受皿７が油脂が気化する温度（約１８０℃以上）以上の場合、その油脂が油煙となって調理室２や加熱室９内に充満したり、油脂が飛びはねて調理室２の内壁２ｂや扉８の内壁８ａに付着し不衛生になったが、本実施の形態によれば、受皿７に水が供給され、それにより冷却されているので、高温の空気により油脂が気化する温度まで受皿７が加熱されるのを防止することができる。また、受皿７の水が接触していない上端や縁の部分が仮に熱くなっても水の有る部分の温度が低いため熱がそちらへ逃げるため、油煙が発生する温度には至らない。
【００３９】
被調理物３が所定時間加熱されると、調理工程が終了する。そして、使用者は、扉８を調理室２から引き出すことにより、加熱調理された被調理物３を取り出すことができる。
【００４０】
なお、上記調理工程では、加熱手段１０により加熱室９内の空気が所定温度に加熱されると送風手段１１が動作開始するように記載したが、被調理物３を所定の調理性能に加熱調理することができるのであれば、加熱室９内の空気が所定温度まで加熱される前から送風手段１１を動作させてもよい（例えば、調理工程開始から、加熱手段１０と送風手段１１とを同時に動作させる等）。
【００４１】
このように本実施の形態によれば、扉８に、水容器１７と受皿７への水供給手段１８を設け、被調理物３および受皿７を調理室２に収納してから受皿７に水を供給し加熱調理することにより、加熱室９から調理室２内へ送り込まれる高温の空気が被調理物３だけでなく受皿７も加熱する場合でも、受皿７が、水により冷却されるので、少なくとも受皿７が油脂が気化する温度（約１８０℃）以上まで加熱されるのを防止することができる。
【００４２】
すなわち、被調理物３が油脂を多く含む魚や肉等で、調理工程中の高温の空気により加熱された被調理物３から油脂が出てきて受皿７に滴下しても、油脂が油煙になるのを低減し、また油脂が受皿７から飛びはねて調理室２の内壁２ｂや扉８の内壁８ａに付着したりするのを低減することができる。さらに、調理室２や加熱室９内に油煙が充満して被調理物３に付着し、被調理物３の調理性能が低下したり、油煙や油脂が調理室２の内壁２ｂ、加熱室９の内壁９ａおよび扉８の内壁８ａに付着して、調理室２、加熱室９および扉８が汚れてしまって不衛生になるのを低減することができる。
【００４３】
なお、受皿７の水は、調理工程中に、加熱室９から送り込まれる高温の空気により加熱されて蒸発していくが、蒸発量より多い水をあらかじめ供給するようにしている。
【００４４】
また、上記実施の形態では、加熱室９で加熱される空気の温度を約３００℃以上としたが、被調理物３の種類や調理方法によっては、加熱される空気の温度は３００℃よりも低い温度であってもよい。
【００４５】
上記実施の形態では、水を受皿７に流し込む開閉手段１９を、プッシュ式のボタンを押すことにより開成する弁２０で構成したが、図３に示すように、弁２０に、扉８を閉じた時に、加熱調理器１の外郭１ａの一部に当接する突起２１を設けて開閉手段１９を構成し、水供給手段１８と扉８の閉操作とを連動させるようにすれば、使用者が開閉手段１９の開閉動作を忘れることによる油煙発生や油脂の飛び散りを防止することができる。
【００４６】
上記構成による動作は、扉８を閉めることにより扉８についている開閉手段１９の突起２１が外郭１ａに当接して押され、この突起２１の押し込みにより、弁２０を開くものである。なお、弁２０を電磁弁にする場合は、突起２１に代え、扉８を閉じた時に、加熱調理器１の外郭１ａに当接して動作するスイッチ（図示せず）にすれば良い。
【００４７】
要は、開閉手段１９の操作を、図１で示したプッシュ式のボタンを手で押す代わりに扉８を閉めた時の力で代用したものである。それゆえ、水容器１７を扉８にセットしたあと、水供給手段１８を動作させる手間を省くことができ、かつ確実に水を水容器１７から受皿７に供給することができるので、それゆえ、受皿７の温度を油脂が気化する温度（約１８０℃以上）よりもより低くすることが簡単に、しかも間違いなくでき、受皿７に油脂が滴下して油煙になるのをより低減することができたり、油煙や受皿７から飛びはねる油脂が調理室２の内壁２ｂ、加熱室９の内壁９ａ、扉８の内壁８ａなどに付着して不衛生になるのをより低減することができ、また、調理室２や加熱室９内に油煙が充満して被調理物３に付着し、被調理物３の調理性能が低下するのを低減することができる。
【００４８】
また、調理開始後に水容器１７をセットしてもスムーズに水を自動的に受皿に供給することができる。
【００４９】
また、図４に示すように、受皿７又は受皿７内の水の温度を検知する温度検知手段２２を設け、温度検知手段２２が所定の温度を検知したときに開閉手段１９に用いられた電磁弁２０に信号を送り、電磁弁２０を開成して受皿７に水を供給するようにしても良い。
【００５０】
温度検知手段２２の位置は、温度のもっとも安定して計測でき、汚れなどの影響を受けない位置に設けるのがよい。本実施の形態では、図４に示すように扉８の中央下部、すなわち受皿７の近傍に取付けている。勿論温度検知手段２２のセンサ部（図示せず）は調理室２内に向いている。
【００５１】
供給される水量は設定できるし、また温度検知手段２２が動作する温度も任意に設定が可能である。また、オートメニューなどと連動した設定にすることが工場出荷段階で、またマニュアルでも可能である。
【００５２】
例えば、温度検知手段２２が動作する所定の温度を、油脂が気化する温度より若干低い温度に設定しておけば、油脂が気化する温度に達するまでは、受皿７に水が供給されず、結果として調理性能が向上した上で、受皿７の温度を油脂が気化する温度（約１８０℃以上）よりもより一層低くすることができる。そして調理室２内の温度上昇に伴い、受皿７の温度が上昇し、油脂が気化する温度に接近すると、それを温度検知手段２２が検知し開閉手段１９を動作させて受皿７に水を供給することにより、受皿７が冷却されるので、受皿７に油脂が滴下しても、油煙になり調理性能を低下させたり、油煙や飛びはねた油脂が調理室２の内壁２ｂや加熱室９の内壁９ａや扉８の内壁８ａに付着して不衛生になるのをより一層低減することができる。
【００５３】
図５は、開閉手段１９の他の例を示すもので、図５に示すように、所定の温度（例えば、油脂が気化する温度である１８０℃）に設定され、調理室２の温度を拾う形状記憶合金２３を弁２０に連結し、調理室２の温度が所定の温度（１８０℃）を越えると、形状記憶合金２３が変形し弁２０を開放して、受皿７に水を供給するようにしたものである。なお、温度を拾う場所は、受皿７でも良い。
【００５４】
図６、７は、開閉手段１９の他の例を示すもので、受皿７内の水量を検知する水量検知手段２４を受皿７に設け、受皿７内の水が少なくなると、水量検知手段２４が検知し、開閉手段１９に信号を送り、開閉手段１９を動作させ水容器１７から受皿７に水を供給するようにしたものである。
【００５５】
このようにすれば、受皿７を必要以上に冷やすことがなくなり、調理性能が向上する。また、調理終了後に受皿７に水がほとんど残らないようにできるため、使用者が被調理物３を調理室２から取り出すときに、調理室２内に残っている油煙が調理室２の前面から出てきて使用者の体や衣服に付着するのを低減することができ、使用者に与える不快感を低減すると共に、後片付けが楽になる。加えて、基本的な課題である、被調理物３から受皿７に油脂が滴下しても、油煙が発生したり油脂が飛びはねたりするのを低減することができる。
【００５６】
また、水量検知手段２４を受皿７に設けて水量を直接測定するので水量検知の精度が高い。なお、水量の検知方法として、他にもダイオード（図示せず）による光を受皿７の水面で反射させその距離と時間から水量を測定する方法もある。他にも受皿７の残水量を測定できるものであれば、その方式、方法にこだわらない。
【産業上の利用可能性】
【００５７】
以上のように、本発明にかかる加熱調理器は、受皿が油脂が気化する温度以上まで加熱されるのを防止することができるので、調理工程中の高温の空気により加熱された被調理物から油脂が出てきて受皿に滴下しても油煙になるのを低減することができたり、油脂が受皿から飛びはねて調理室の内壁や扉の内壁に付着したりするのを低減することができる。したがって、油煙が被調理物に付着して被調理物の調理性能が低下したり、油煙や油脂が加熱調理器の内壁に付着して、加熱調理器が汚れてしまって不衛生になるのをより低減することができるもので、業務用の加熱調理器等の用途にも適用できる。
【図面の簡単な説明】
【００５８】
【図１】本発明の実施の形態１における加熱調理器を横方向から見た縦断面図
【図２】同加熱調理器の扉の簡易斜視図
【図３】他の例を示す加熱調理器の要部断面図
【図４】他の例を示す加熱調理器の扉の簡易斜視図
【図５】他の例を示す加熱調理器の要部断面図
【図６】他の例を示す加熱調理器の扉の簡易斜視図
【図７】同加熱調理器の要部断面図
【図８】従来の加熱調理器の断面図
【図９】従来の他の加熱調理器の断面図
【符号の説明】
【００５９】
１  加熱調理器
２  調理室
２ａ  前面開口部
３  被調理物
６  焼き網
７  受皿
８  扉
９  加熱室
１０  加熱手段
１１  送風手段
１４  吹き出し孔
１５  吸い込み孔
１７  水容器
１８  水供給手段
１９  開閉手段
２０  弁
２１  突起
２２  温度検知手段
２３  形状記憶合金
２４  水量検知手段
【図１】
2006258336.tif 000003
【図２】
2006258336.tif 000004
【図３】
2006258336.tif 000005
【図４】
2006258336.tif 000006
【図５】
2006258336.tif 000007
【図６】
2006258336.tif 000008
【図７】
2006258336.tif 000009
【図８】
2006258336.tif 000010
【図９】
2006258336.tif 000011